(57)【要約】【課題】必要に応じて通常単価の商品とフリーオーダーの商品との売り上げの合算集計ができる商品販売データ登録処理装置及び商品販売データ登録処理プログラムを提供する。【解決手段】商品販売データ登録処理装置は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、商品コード毎に通常単価販売品とフリーオーダー品とに分けて売上数量と売上金額とを格納する集計ファイルと、商品コード毎に通常単価販売品とフリーオーダー品と合算して集計する旨の指定がされた場合、集計ファイルから読み出した商品コード毎に通常単価販売品とフリーオーダー品とに分けて格納された売上数量と売上金額とを商品コード毎に合算する制御部と、を備える。【選択図】図１０
2015031971.tif 000002
【特許請求の範囲】
【請求項１】
情報を入出力する入出力部と、
記録媒体に画像形成するプリンタと、
商品毎に固有に割り当てられる識別子である商品コード毎に単価を格納する商品マスタと、
一取引の内容を格納するトランザクションファイルと、
前記商品コード毎に通常単価販売品とフリーオーダー品とに分けて売上数量と売上金額とを格納する集計ファイルと、
前記商品コード毎に通常単価販売品とフリーオーダー品と合算して集計する旨の指定がされた場合、前記集計ファイルから読み出した商品コード毎に通常単価販売品とフリーオーダー品とに分けて格納された売上数量と売上金額とを前記商品コード毎に合算する制御部と、
を備える商品販売データ登録処理装置。
【請求項２】
前記制御部は、
前記入出力部に、同一の商品コード毎に通常単価販売品とフリーオーダー品とを合算して集計するか否かを選択するキーを備える商品別点検画面を表示する請求項１記載の商品販売データ登録処理装置。
【請求項３】
前記制御部は、
前記商品コード毎に通常単価販売品とフリーオーダー品と合算して集計する旨の指定がされた場合、前記集計ファイルから読み出した商品コード毎に通常単価販売品とフリーオーダー品とに分けて格納された売上数量と売上金額とを前記商品コード毎に合算して前記入出力部に表示する請求項１記載の商品販売データ登録処理装置。
【請求項４】
前記制御部は、
前記商品コード毎に通常単価販売品とフリーオーダー品と合算して集計する旨の指定がされた場合、前記集計ファイルから読み出した商品コード毎に通常単価販売品とフリーオーダー品とに分けて格納された売上数量と売上金額とを前記商品コード毎に合算して前記プリンタから出力する請求項１記載の商品販売データ登録処理装置。
【請求項５】
情報を入出力する入出力部と、
記録媒体に画像形成するプリンタと、
商品毎に固有に割り当てられる識別子である商品コード毎に単価を格納する商品マスタと、
一取引の内容を格納するトランザクションファイルと、
前記商品コード毎に通常単価販売品とフリーオーダー品とに分けて売上数量と売上金額とを格納する集計ファイルと、
を備える商品販売データ登録処理装置を、
前記商品コード毎に通常単価販売品とフリーオーダー品と合算して集計する旨の指定がされた場合、前記集計ファイルから読み出した商品コード毎に通常単価販売品とフリーオーダー品とに分けて格納された売上数量と売上金額とを前記商品コード毎に合算する０円単価合算手段として機能させるための商品販売データ登録処理プログラム。
【請求項６】
前記商品販売データ登録処理装置を、
前記入出力部に、同一の商品コード毎に通常単価販売品とフリーオーダー品とを合算して集計するか否かを選択するキーを備える商品別点検画面を表示する集計条件入力画面表示手段としてさらに機能させるための請求項５記載の商品販売データ登録処理プログラム。
【発明の詳細な説明】
【技術分野】
【０００１】
本発明の実施形態は、商品販売データ登録処理装置及び商品販売データ登録処理プログラムに関する。
【背景技術】
【０００２】
例えば飲食店やカラオケ店では飲み放題メニューのように商品の数量にかかわらず一定金額となる商品がある。
【０００３】
このようなフリーオーダー商品は、ＰＯＳ端末などの商品販売データ登録処理装置によって注文の処理及び会計を行う場合、個別の商品は単価を０円として処理し、集計する。他方、通常の商品は通常の単価によって処理、集計される。
【０００４】
具体的には、例えばフリーオーダーの「生ビール」と、通常の注文の「生ビール」は、商品コードは同一であるが、会計処理、及び集計処理は別個の商品として取り扱われてきた。
【０００５】
従って、売り上げの集計処理である点検を行う場合、点検のレポートには同一の商品コードについて、通常単価の商品の売り上げ数と、単価が０円の商品の売り上げ数とが別個に出力されていた。
【０００６】
この集計方法は、フリーオーダーの商品がどのくらい売れているかの確認に役立つ。しかし、商品の在庫管理や仕入れ数量の決定の際には、通常単価の商品の売り上げ数と単価が０円の商品の売り上げ数とを都度合計しなければならず、煩わしいものとなっていた。
【０００７】
上述の例では、営業時間中に「生ビール」全体の売れ行きを確認して追加の仕入れをすべきか否かの判断を行う場合には、フリーオーダーの「生ビール」の売上数量と、通常の注文の「生ビール」の売上数量とを都度合計しなければならなかった。
【先行技術文献】
【特許文献】
【０００８】
【特許文献１】特開２００７−２４９９２０号公報
【発明の概要】
【発明が解決しようとする課題】
【０００９】
従って、必要に応じて通常単価の商品とフリーオーダーの商品との売り上げの合算集計ができる商品販売データ登録処理装置及び商品販売データ登録処理プログラムが求められている。
【課題を解決するための手段】
【００１０】
上記の課題を解決するために、本発明の一実施形態は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、商品コード毎に通常単価販売品とフリーオーダー品とに分けて売上数量と売上金額とを格納する集計ファイルと、商品コード毎に通常単価販売品とフリーオーダー品と合算して集計する旨の指定がされた場合、集計ファイルから読み出した商品コード毎に通常単価販売品とフリーオーダー品とに分けて格納された売上数量と売上金額とを商品コード毎に合算する制御部と、を備える商品販売データ登録処理装置を提供する。
【図面の簡単な説明】
【００１１】
【図１】商品販売データ登録処理装置の外観斜視図である。
【図２】登録処理装置の構成を示すブロック図である。
【図３】商品マスタのデータ構成を示す図である。
【図４】トランザクションファイルのデータ構成を示す図である。
【図５】集計ファイルのデータ構成を示す図である。
【図６】商品別点検画面の例を示す図である。
【図７】「０円単価合算」しないを指定した場合の商品別点検レポートの例を示す図である。
【図８】「０円単価合算」するを指定した場合の商品別点検レポートの例を示す図である。
【図９】オーダー受注時の等力処理装置と登録端末の動作を示すフローチャートである。
【図１０】登録処理装置の商品別レポート生成動作を示す図である。
【発明を実施するための形態】
【００１２】
以下、商品販売データ登録処理装置及び商品販売データ登録処理プログラムの一実施形態について、図面を用いて詳細に説明する。
【００１３】
本実施形態の商品販売データ登録処理装置は、情報を入出力する入出力部と、記録媒体に画像形成するプリンタと、商品毎に固有に割り当てられる識別子である商品コード毎に単価を格納する商品マスタと、一取引の内容を格納するトランザクションファイルと、商品コード毎に通常単価販売品とフリーオーダー品とに分けて売上数量と売上金額とを格納する集計ファイルと、商品コード毎に通常単価販売品とフリーオーダー品と合算して集計する旨の指定がされた場合、集計ファイルから読み出した商品コード毎に通常単価販売品とフリーオーダー品とに分けて格納された売上数量と売上金額とを商品コード毎に合算する制御部と、を備える。
【００１４】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、記録媒体に画像形成するプリンタ１２Ｃと、カードリーダ１０２と、キーボード１０３と、入出金装置１０４と、を備える。
【００１５】
登録処理装置１はさらに、商品のバーコードをスキャンするスキャナを備えていてもよい。
【００１６】
以下、オペレータ側入出力装置１２Ａ及び客面入出力装置１２Ｂを入出力部１２と呼ぶ。
【００１７】
図２は、登録処理装置１の構成を示すブロック図である。図２に示すように、登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、プリンタ１２Ｃと、情報通信を行う通信部１３と、メモリ、ハードディスクドライブ等の記憶装置を含む記憶部１４と、入出金装置１０４と、を備える。
【００１８】
記憶部１４は、商品毎に固有に割り当てられる識別子である商品コード毎に単価を格納する商品マスタ１４Ａと、一取引の内容を商品コード毎に通常単価販売品とフリーオーダー品とに分けて格納するトランザクションファイル１４Ｂと、商品コード毎に通常単価販売品とフリーオーダー品とに分けて売上数量と売上金額とを格納する集計ファイル１４Ｃと、を格納する。
【００１９】
記憶部１４は、商品販売データ登録処理プログラムを格納し、制御部１１は記憶部１４から商品販売データ登録処理プログラムを読み出して実行する。
【００２０】
登録処理装置１は、通信部１３を介してハンディー端末等の登録端末２と通信してもよい。
【００２１】
登録端末２は、演算装置であるＣＰＵを含む制御部２０１と、情報を入出力する入出力部２０２と、情報通信を行う通信部２０３と、メモリ等の記憶装置を含む記憶部２０４と、を備える。
【００２２】
記憶部２０４は、商品毎に固有に割り当てられる識別子である商品コード毎に単価を格納する商品マスタ２０４Ａを格納する。
【００２３】
登録端末２は、一取引内の商品に対応する商品コードが商品マスタ２０４Ａにない場合、登録処理装置１の商品マスタ１４Ａから該当するデータを読み出して商品マスタ２０４Ａに格納し、オーダーの処理を行う。
【００２４】
図３は、商品マスタ１４Ａのデータ構成を示す図である。図３に示すように、商品マスタ１４Ａは、商品毎に固有に割り当てられる「商品コード」と、商品の名称である「名称」と、商品の属性を示す「部門」と、商品の１個当たりの価格である「単価」と、を格納する。
【００２５】
各データの例は、商品コードが「００５１」、名称が「生ビール」、部門が「０１」、単価が「６００」である。
【００２６】
商品マスタ２０４Ａのデータ構成は商品マスタ１４Ａのデータ構成と同様である。
【００２７】
図４は、トランザクションファイル１４Ｂのデータ構成を示す図である。図４に示すように、トランザクションファイル１４Ｂは、顧客を識別するためのＩＤである「テーブルＮｏ」と、顧客が注文した商品を示す「商品コード」と、当該商品の名称である「名称」と、当該商品がフリーオーダー商品であるか否かを示す「０円フラグ」と、「部門」と、「単価」と、注文を受けた数量を示す「数量」と、を格納する。
【００２８】
各データの例は、通常商品の場合、テーブルＮｏが「１４」、商品コードが「００５１」、名称が「生ビール」、０円フラグが「ＯＦＦ」、単価が「６００」、数量が「３」である。なお、フリーオーダーの商品の場合、０円フラグは「ＯＮ」、単価は「０」となる。
【００２９】
図５は、集計ファイル１４Ｃのデータ構成を示す図である。図５に示すように、集計ファイル１４Ｃは、「商品コード」と、「名称」と、「０円フラグ」と、「部門」と、稼働日ごとの総売上数量を示す「売上数量」と、稼働日ごとの総売上金額を示す「売上金額」と、を格納する。
【００３０】
各データの例は、通常商品の場合、商品コードが「００５１」、名称が「生ビール」、０円フラグが「ＯＦＦ」、部門が「０１」、売上数量が「３」、売上金額が「１８００」である。なお、フリーオーダーの商品の場合、０円フラグは「ＯＮ」、売上金額は「０」となる。
【００３１】
図６は、オペレータ側入出力装置１２Ａに表示される商品別点検画面６０１の例を示す図である。図６に示すように、商品別点検画面６０１は、例えば集計期間を指定する期間指定欄と、集計する曜日を指定する曜日指定欄と、集計する時間を指定する時間指定欄と、商品コードを指定する商品コード指定欄と、集計結果レポートの表示を指示する「レポート表示」ボタンと、を備える。
【００３２】
商品別点検画面６０１は、この他に、同一の商品コード毎に通常商品とフリーオーダーの商品とを合算して集計するか否かを指定する「０円単価合算」欄を備える。
【００３３】
登録処理装置１は、商品別点検画面６０１の「０円単価合算」欄において「しない」が指定された場合、同一の商品コード毎に通常商品とフリーオーダーの商品とを別個にレポートとしてオペレータ側入出力装置１２Ａに表示する。
【００３４】
登録処理装置１は、商品別点検画面６０１の「０円単価合算」欄において「する」が指定された場合、同一の商品コード毎に通常商品とフリーオーダーの商品とを合算して集計する「０円合算」を行い、レポートに表示する。
【００３５】
図７は、「０円単価合算」しないを指定した場合の商品別点検レポート７０１の例を示す図である。図７に示すように、「０円単価合算」しないを指定した場合、登録処理装置１は同一の商品コード毎に通常商品とフリーオーダーの商品とを別個に商品別点検レポート７０１としてオペレータ側入出力装置１２Ａに表示する。
【００３６】
登録処理装置１は、「印刷」ボタンが押下された場合、このレポートをプリンタ１２Ｃによって印刷出力する。
【００３７】
図８は、「０円単価合算」するを指定した場合の商品別点検レポート７０１の例を示す図である。図８に示すように、「０円単価合算」するを指定した場合、登録処理装置１は同一の商品コード毎に通常商品とフリーオーダーの商品とを合算して集計する「０円合算」を行い、商品別点検レポート７０１に表示する。
【００３８】
図８の例においては、商品コード「００５１」の「生ビール」について、通常商品としての売上数量が３個、売上金額が１８００円、フリーオーダーの商品としての売上数量が４個、売上金額が０円であるため、「０円単価合算」を行った結果、売上数量が７個、売上金額が１８００円と表示されている。
【００３９】
登録処理装置１は、「印刷」ボタンが押下された場合、このレポートをプリンタ１２Ｃによって印刷出力する。
【００４０】
図９は、オーダー受注時の登録処理装置１と登録端末２の動作を示すフローチャートである。図９に示すように、ステップ９０１において、登録端末２はオーダーを入力する。オーダーはテーブルＮｏ別に、商品コード毎に数量が入力される。
【００４１】
ステップ９０２において、登録端末２は、フリーオーダーの注文である「０円単価」か否かの入力を行う。登録端末２は、注文が「０円単価」である場合、ステップ９０３に進み、「０円単価」でない場合、０円フラグを「ＯＦＦ」にしてステップ９０４に進む。
【００４２】
ステップ９０３において、登録端末２は０円フラグを「ＯＮ」にする。
【００４３】
ステップ９０４において、登録端末２は、テーブルＮｏ、商品コード、名称、０円フラグ、部門、単価、数量をオーダーとして登録処理装置１に送信する。
【００４４】
ステップ９０５において、登録処理装置１はオーダーを受信する。
【００４５】
ステップ９０６において、登録処理装置１はオーダーをトランザクションファイル１４Ｂに格納する。
【００４６】
ステップ９０７において、登録処理装置１は受信したオーダーに基づいて集計ファイル１４Ｃを更新する。具体的には、登録処理装置１は受信したオーダーの商品コード及び０円フラグ毎に、売上数量に数量を加算し、売上金額に単価と数量を積算した金額を加算し、集計ファイル１４Ｃに格納する。
【００４７】
図１０は、登録処理装置１の商品別レポート生成動作を示す図である。図１０に示すように、ステップ１００１において、登録処理装置１は、商品別点検画面６０１によって集計条件を入力する。この際、「０円単価合算」を行うか否かも入力する。
【００４８】
ステップ１００２において、登録処理装置１は集計ファイル１４Ｃを読み込む。
【００４９】
ステップ１００３において、登録処理装置１は０円単価合算をする旨の指定がされているかを判定する。登録処理装置１は、０円単価合算をする旨の指定がされている場合、ステップ１００４に進み、０円単価合算をする旨の指定がされていない場合、ステップ１００５に進む。
【００５０】
ステップ１００４において、登録処理装置１は商品コード毎に売上数量及び売上金額をそれぞれ合算する。
【００５１】
ステップ１００５において、登録処理装置１は集計結果をレポートとしてオペレータ側入出力装置１２Ａに表示する。
【００５２】
以上述べたように、登録処理装置１は、情報を入出力する入出力部１２と、プリンタ１２Ｃと、キーボード１０３と、商品毎に固有に割り当てられる識別子である商品コード毎に単価を格納する商品マスタ１４Ａと、一取引の内容を商品コード毎に通常単価販売品とフリーオーダー品とに分けて格納するトランザクションファイル１４Ｂと、商品コード毎に通常単価販売品とフリーオーダー品とに分けて売上数量と売上金額とを格納する集計ファイル１４Ｃと、商品コード毎に通常単価販売品とフリーオーダー品と合算して集計する旨の指定がされた場合、集計ファイル１４Ｃから読み出した商品コード毎に通常単価販売品とフリーオーダー品とに分けて格納された売上数量と売上金額とを商品コード毎に合算する制御部と、を備える。
【００５３】
従って、必要に応じて通常単価の商品とフリーオーダーの商品との売り上げの合算集計ができるという効果がある。
【００５４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１：登録処理装置
２：登録端末
１４Ｃ：集計ファイル
【図１】
2015031971.tif 000003
【図２】
2015031971.tif 000004
【図３】
2015031971.tif 000005
【図４】
2015031971.tif 000006
【図５】
2015031971.tif 000007
【図６】
2015031971.tif 000008
【図７】
2015031971.tif 000009
【図８】
2015031971.tif 000010
【図９】
2015031971.tif 000011
【図１０】
2015031971.tif 000012